(57)【要約】【課題】寿命をより長くする殺菌容器を提供する。【解決手段】殺菌容器は、給水器１であって、内部に注液するための開口部１１を有し、かつ、液体が貯められる容器部１０と、開口部１１を塞ぐための、容器部１０に着脱可能な蓋部３０と、容器部１０の内部に配置され、容器部１０に貯められる液体に紫外線を照射することで、液体を殺菌する紫外線光源部４０と、紫外線光源部４０からの紫外線が照射され得る樹脂部材であって、ユーザによる交換が可能な樹脂部材とを備える。【選択図】図３
2017169810.tif 000002
【特許請求の範囲】
【請求項１】
内部に注液するための開口部を有し、かつ、液体が貯められる容器部と、
前記開口部を塞ぐための、前記容器部に着脱可能な蓋部と、
前記容器部の内部に配置され、前記容器部に貯められる液体に紫外線を照射することで、前記液体を殺菌する紫外線光源部と、
前記紫外線光源部から前記紫外線が照射され得る樹脂部材であってユーザによる交換が可能な樹脂部材とを備える
殺菌容器。
【請求項２】
前記殺菌容器は、前記容器部から外部に前記液体を給水するための給水栓部を備え、
前記樹脂部材は、前記容器部の内側の前記給水栓部をカバーし、前記紫外線光源部から前記給水栓部へ向かう前記紫外線を遮光するカバー部材を含む
請求項１に記載の殺菌容器。
【請求項３】
前記カバー部材は筒状である
請求項２に記載の殺菌容器。
【請求項４】
前記カバー部材の底部は、前記紫外線を遮光しかつ前記液体を流通させるメッシュ状またはスリット状である
請求項３に記載の殺菌容器。
【請求項５】
前記樹脂部材は、前記容器部の液体を外部に給水するための給水栓部を含む
請求項１に記載の殺菌容器。
【請求項６】
前記紫外線光源部は、前記蓋部に取り付けられ、ユーザが交換可能である
請求項１〜５の何れか１項に記載の殺菌容器。
【請求項７】
前記紫外線光源部は、
紫外線を照射するランプと、
前記ランプを囲む保護部材とを有し、
前記ランプは、前記蓋部に取り付けられ、ユーザが交換可能である
請求項１〜５の何れか１項に記載の殺菌容器。
【請求項８】
前記保護部材は、前記蓋部に着脱可能に取り付けられる
請求項７に記載の殺菌容器。
【請求項９】
前記ランプは、長尺状であり、
前保護部材は、前記ランプのうちの前記蓋部と反対側の先端部を囲む可動部材を有し、
前記可動部材は、前記ランプの先端部を囲む位置と露出させる位置とに可動である
請求項７に記載の殺菌容器。
【請求項１０】
前記保護部材は、
前記蓋部に取り付けられ、前記ランプのうちの前記蓋部側の部分を囲む第１部材と、
前記第１部材に取り付けられ、前記ランプのうちの前記蓋部と反対側の先端部の一部を囲む第２部材と、
前記第１部材に取り付けられ、前記ランプのうちの前記蓋部と反対側の先端部の他の一部を囲む第３部材とを備え、
前記第２部材および第３部材は、前記可動部材であって、前記第１部材に取り付けられた状態で互いに着脱可能であることにより、前記ランプのうちの前記蓋部と反対側の先端部を囲む位置と露出させる位置とに可動である
請求項９に記載の殺菌容器。
【発明の詳細な説明】
【技術分野】
【０００１】
本発明は、液体の殺菌機能を有する殺菌容器に関する。
【背景技術】
【０００２】
従来、家庭に配水されている水道水などを、紫外線によって殺菌してから飲用水として用いるということが行われている。これは、たとえ水道水であっても、マイクロコッカス菌又は大腸菌などの細菌が混入している場合があるためである。特に、発展途上国などにおいては、家庭用の水道水であっても充分に殺菌処理が行われていない場合、あるいは、配水途中で細菌が混入する場合がある。
【０００３】
家庭でも使用できる水殺菌装置としては、水道からの減衰を濾過フィルタに通した後、流れる濾過水に紫外線を照射して殺菌し、殺菌後の水をタンクなどに貯水する技術が知られている（例えば、特許文献１参照）。タンクには、給水口（蛇口）が取り付けられており、当該給水口から給水して飲用水又は料理用の水として利用することができる。
【先行技術文献】
【特許文献】
【０００４】
【特許文献１】特開２００５−２１１８５１号公報
【発明の概要】
【発明が解決しようとする課題】
【０００５】
ところで、一般に樹脂部材は、ＵＶ劣化、つまり、紫外線によって変色、変形、割れ、硬化等々の劣化を生じることが多い。そのため、樹脂部材を有する水殺菌装置では、ＵＶ劣化が製品寿命を短くするという問題がある。
【０００６】
そこで、本発明は、製品寿命をより長くする殺菌容器を提供することを目的とする。
【課題を解決するための手段】
【０００７】
上記目的を達成するため、本発明の一態様に係る殺菌容器は、内部に注液するための開口部を有し、かつ、液体が貯められる容器部と、前記開口部を塞ぐための、前記容器部に着脱可能な蓋部と、前記容器部の内部に配置され、前記容器部に貯められる液体に紫外線を照射することで、前記液体を殺菌する紫外線光源部と、前記紫外線光源から前記紫外線が照射され得る樹脂部材であって、ユーザによる交換が可能な樹脂部材とを備える。
【発明の効果】
【０００８】
本発明に係る殺菌容器によれば、殺菌容器の寿命をより長くすることができる。
【図面の簡単な説明】
【０００９】
【図１】実施の形態１に係る給水器の概観斜視図である。
【図２】実施の形態１に係る給水器の上面図である。
【図３】図２のＩＩＩ−ＩＩＩ線における実施の形態１に係る給水器の断面図である。
【図４】実施の形態１に係る容器部の概観斜視図である。
【図５Ａ】実施の形態１に係る蓋部の概観斜視図である。
【図５Ｂ】実施の形態１に係る紫外線光源部の変形例を含む蓋部の概観斜視図である。
【図５Ｃ】実施の形態１に係る紫外線光源部の変形例を含む蓋部の概観斜視図である。
【図６】実施の形態１に係る駆動回路部の概観斜視図である。
【図７】実施の形態１に係る駆動回路部の側面図である。
【図８】実施の形態１に係る駆動回路部の正面図である。
【図９】実施の形態２に係る蓋付きマグの概観斜視図である。
【図１０】実施の形態２に係る蓋付きマグの蓋部を取り外した様子を示す概観斜視図である。
【発明を実施するための形態】
【００１０】
以下では、本発明の実施の形態に係る殺菌容器について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００１２】
（実施の形態１）
［概要］
まず、本実施の形態に係る給水器の概要について、図１〜図３を用いて説明する。
【００１３】
図１は、本実施の形態に係る給水器１の概観斜視図である。図２は、本実施の形態に係る給水器１の上面図である。図３は、図２のＩＩＩ−ＩＩＩ線における本実施の形態に係る給水器１の断面図である。また、各図において、給水器１の左右方向をｘ軸方向、前後方向をｙ軸方向、上下方向をｚ軸方向とする。
【００１４】
本実施の形態に係る給水器１は、液体を殺菌し、殺菌した液体を貯める殺菌容器の一例である。給水器１は、例えば、飲用水又は料理用水などの水をユーザに提供（給水）する。具体的には、給水器１は、水道水、井戸水、湧き水、雨水などの水（以下、「未殺菌水」と記載する）に紫外線（ＵＶ光）を照射することで殺菌する。給水器１は、殺菌後の水（以下、「殺菌水」と記載する）を飲用水などとして提供する。
【００１５】
本実施の形態に係る給水器１は、図１に示すように、いわゆるウォータージャグと呼ばれる、小型、かつ、軽量であり、持ち運び可能な給水器である。給水器１は、例えば、家庭などに設置され、あるいは、屋外に運ばれて用いられてもよい。
【００１６】
図１〜図３に示すように、給水器１は、容器部１０と、給水栓部２０と、蓋部３０と、紫外線光源部４０と、開閉センサ部５０（図４及び図５Ａを参照）と、駆動回路部６０と、インジケータ７０と、窓部８０と、表示パネル９０とを備える。
【００１７】
以下では、本実施の形態に係る給水器１が備える構成要素について、図１〜図３を適宜参照しながら詳細に説明する。
【００１８】
［容器部］
図４は、本実施の形態に係る容器部１０を示す概観斜視図である。
【００１９】
図４に示すように、容器部１０は、内部に液体が貯められる容器部である。容器部１０は、内部に注液するための開口部１１を有する。液体は、具体的には、水道水などの水であるが、お茶又はジュースなどの飲料水でもよい。例えば、容器部１０には、開口部１１を介して未殺菌水が注入され、注入された未殺菌水が貯められる。貯められた未殺菌水は、図３に示す紫外線光源部４０によって紫外線が照射された後、給水栓部２０を介して外部に給水（排出）される。
【００２０】
図４に示すように、容器部１０の底部近傍の側面には、孔部１２が設けられている。孔部１２には、給水栓部２０が取り付けられる。給水栓部２０が操作された場合に、容器部１０に貯められた液体は、孔部１２を介して外部に給水される。
【００２１】
容器部１０の容量は、例えば、６Ｌ（リットル）〜１０Ｌであるが、これに限らない。容器部１０の形状は、図４に示すように、有底略円筒形状であるが、これに限らない。容器部１０の形状は、有底角筒形状でもよく、あるいは、開口部１１が底部より小さい形状（いわゆるボトル状）でもよい。
【００２２】
本実施の形態では、容器部１０は、保温機能を有する。具体的には、容器部１０は、内側容器と外側容器との二重構造を有する。内側容器と外側容器との間は、真空などの減圧された空間である。これにより、内側容器と外側容器との間で熱伝導が抑制され、内部に貯められる液体の温度を保つことができる。
【００２３】
容器部１０の内面は、金属で覆われている。具体的には、容器部１０の内側容器は、ステンレス又はアルミニウムなどの金属材料を用いて形成されている。これにより、容器部１０の内面で紫外線光源部４０が発する紫外線を反射させることができるので、効率良く液体を殺菌することができる。なお、容器部１０の外側容器は、例えば、ポリプロピレン（ＰＰ）などの樹脂材料から形成される。
【００２４】
なお、容器部１０は、保温機能を有していなくてもよく、二重構造を有していなくてもよい。また、容器部１０は、樹脂材料を用いて形成されて、その内面がめっき処理などによって金属材料で覆われていてもよい。
【００２５】
本実施の形態では、開口部１１は、図１に示すように、蓋部３０によって塞がれる。開口部１１の平面視形状（上面視形状）は、略円形である。これにより、蓋部３０を回動させてねじ締めすることで、開口部１１を蓋部３０によって塞ぐことができる。容器部１０の開口部１１の近傍には、図４に示すように、容器側センサ５２（開閉センサ部５０）が設けられている。
【００２６】
なお、蓋部３０が開口部１１を塞ぐ方法は、ねじ式に限らない。例えば、開口部１１及び蓋部３０にそれぞれ係合する凹部又は凸部を設けてもよい。例えば、凹部を凸部にはめ込むことで、開口部１１を蓋部３０によって塞いでもよい。また、単に塞ぐだけであるならば、特にロックさせる機構を設けなくてもよい。
【００２７】
［給水栓部］
給水栓部２０は、容器部１０に貯められた液体を供給するための供給栓部の一例である。具体的には、給水栓部２０は、操作レバー、給水管２１、カバー部材２２を含む。給水器１は、容器部１０の内部で紫外線が照射され得る樹脂部材であって、ユーザによる交換が可能な樹脂部材を含んでいる。給水管２１、カバー部材２２はそれぞれ、樹脂部材の具体例である。カバー部材２２は、容器部１０の内側の給水栓部２０（つまり給水管２１）をカバーし、紫外線光源部４０から給水栓部２０へ向かう紫外線を遮光する。例えば、カバー部材２２は筒状であり、カバー部材２２の底部は、紫外線を遮光しかつ液体を流通させるメッシュ状またはスリット状になっている。スリットの長手方向は、容器部１０の底面とほぼ平行である。これにより、カバー部材２２は、容器部１０の内側の給水栓部２０（つまり給水管２１）のＵＶ劣化を抑制する。カバー部材２２は、ＵＶ劣化し得るけれども、給水栓部２０の交換よりも容易に交換可能である。また、給水栓部２０自身もユーザによる交換可能および着脱可能である。ユーザは、給水栓部２０を取り外して洗浄することができる。
【００２８】
操作レバーは、例えば、押下式、引上式、又は、回動式のレバーである。操作レバーが操作されたとき、給水栓部２０は、容器部１０に貯水された水を供給し、あるいは、給水を停止する。
【００２９】
給水栓部２０は、例えば、容器部１０の底部近傍の側面部に取り付けられている。具体的には、給水栓部２０は、容器部１０の孔部１２に接続されている。給水栓部２０は、例えば、ポリプロピレン（ＰＰ）などの樹脂材料から形成される。
【００３０】
なお、給水栓部２０が設けられる位置は、容器部１０の底部近傍に限らない。例えば、給水栓部２０は、給湯ポットなどのように、容器部１０の上部に設けられていてもよい。
【００３１】
また、カバー部材２２は、樹脂製でなくてもよく、アルミニウム、ステンレスなどの金属製であってもよい。
【００３２】
［蓋部（蓋）］
図５Ａは、本実施の形態に係る蓋部３０の概観斜視図である。
【００３３】
蓋部３０は、開口部１１を塞ぐための着脱可能な蓋である。本実施の形態では、図５Ａに示すように、蓋部３０の裏面には、紫外線光源部４０が取り付けられている。蓋部３０の内部には、開閉センサ部５０（蓋側センサ５１）が配置されている。また、図３に示すように、蓋部３０の内部には、駆動回路部６０が配置されている。
【００３４】
図３及び図５Ａに示すように、蓋部３０は、表面部３１と、裏面部３２と、金属板３３とを備える。
【００３５】
表面部３１は、蓋部３０の表（おもて）面側の部分であり、図３に示すように、蓋部３０が閉じられた場合には、開口部１１を覆う。表面部３１は、例えば、裏面（下面）側が開放され、表面（上面）側が底に相当する扁平な有底略円筒形状の筐体である。表面部３１の下面側には、内部に駆動回路部６０を配置するための空間を形成するように、裏面部３２が接続されている。表面部３１は、例えば、ポリプロピレン（ＰＰ）などの樹脂材料から形成される。
【００３６】
裏面部３２は、蓋部３０の裏面側の部分であり、図３に示すように、蓋部３０が閉じられた場合には、開口部１１に蓋をする。裏面部３２は、例えば、表面（上面）側が開放され、裏面（下面）側が底に相当する扁平な有底略円筒円板状の筐体である。本実施の形態では、裏面部３２の裏面（下面）を貫通するように、紫外線光源部４０が設けられている。裏面部３２は、例えば、ポリプロピレン（ＰＰ）などの樹脂材料から形成されている。
【００３７】
金属板３３は、蓋部３０の裏面（下面）を覆うように設けられた金属部材である。金属板３３は、例えば、ステンレスなどの金属材料から形成される。これにより、紫外線光源部４０が発する紫外線を容器部１０の内部に向けて反射することができる。
【００３８】
なお、裏面部３２の下面に金属板３３を設ける代わりに、裏面部３２自体が、金属材料から形成されてもよい。
【００３９】
本実施の形態では、蓋部３０は、ねじ式の蓋である。つまり、蓋部３０を容器部１０に対して回動させることで、蓋部３０は、開口部１１を塞ぐことができる。
【００４０】
蓋部３０は、開口部１１を塞ぐことで、容器部１０の内部（水が貯められる空間）を密閉する。なお、本実施の形態では、蓋部３０が開口部１１を塞ぐことを、蓋部３０を閉じると記載する場合がある。
【００４１】
具体的には、「蓋部３０を閉じる」とは、容器部１０の内部から光が直接漏れない状態にすることである。つまり、蓋部３０が閉じられた状態では、蓋部３０と容器部１０との間には隙間が形成されておらず、容器部１０の内部から外部に光が漏れない。なお、本実施の形態では、給水器１は、窓部８０を備えており、窓部８０を介して一部の光は容器部１０の外部に放出される。また、蓋部３０が閉じられた状態では、容器部１０の内部に貯められた水が開口部１１を介して外部に漏れ出ないことが好ましい。
【００４２】
蓋部３０が「開けられた状態」とは、蓋部３０が閉じられていない状態である。例えば、蓋部３０が開けられた状態では、容器部１０の内部から光が漏れ出る、すなわち、容器部１０の内部を外部から視認可能な状態である。
【００４３】
なお、図示しないが、蓋部３０には、プラグの差込口が設けられている。当該差込口にプラグが接続されることで、駆動回路部６０には、紫外線光源部４０及びインジケータ７０を動作させるための電力が供給される。なお、蓋部３０には、差込口の代わりに、又は、差込口に加えてバッテリーが設けられていてもよい。
【００４４】
［紫外線光源部］
紫外線光源部４０は、容器部１０の内部に配置され、容器部１０に貯められる液体に紫外線を照射することで、当該液体を殺菌する。照射する紫外線は、例えば、２００ｎｍ〜４００ｎｍの範囲にピーク波長を有する紫外線である。本実施の形態では、紫外線光源部４０は、一例として、ピーク波長が２５３．７ｎｍの紫外線を照射する。
【００４５】
紫外線光源部４０は、蓋部３０の裏面に取り付けられている。具体的には、紫外線光源部４０は、蓋部３０（裏面部３２）の裏面を貫通するように設けられている。
【００４６】
紫外線光源部４０は、図３及び図５Ａに示すように、ランプ４１と、保護部材４２とを備える。
【００４７】
ランプ４１は、外部から電力を受けて紫外線を発する。ランプ４１は、例えば、紫外線を発する水銀灯である。例えば、ランプ４１としては、内部に水銀蒸気などが封止されたガラス管を有する低圧水銀蒸気放電ランプを用いることができる。なお、ランプ４１に替えて、紫外線を発するＬＥＤ（Ｌｉｇｈｔ  Ｅｍｉｔｔｉｎｇ  Ｄｉｏｄｅ）を用いてもよい。図３に示すように、ランプ４１の給電部は、裏面部３２内に設けられており、駆動回路部６０に接続されたコネクタ（図示せず）に接続されている。ランプ４１は、例えば、６Ｗの消費電力で３分間照射することにより、約８Ｌの水を殺菌することができる。例えば、６Ｗの消費電力で紫外線を３分間照射することにより、８Ｌの水に含まれるマイクロコッカス菌を９９．９％殺菌することができた。
【００４８】
図３及び図５Ａに示すように、ランプ４１の形状は、直管状である。ランプ４１は、例えば、ランプ４１の長軸方向が蓋部３０の裏面に直交するように（すなわち、ｚ軸方向に平行に）設けられている。具体的には、ランプ４１は、蓋部３０の裏面のうち、平面視における中心近傍に着脱可能に立設するように設けられている。ランプ４１は、ユーザにより交換が可能であり、例えば、２本の電極を差込式に着脱可能、あるいはコネクタにより着脱可能になっている。ランプ４１は、蓋部３０の開け閉め際の回動の軸に沿って設けられている。ランプ４１の先端（下方端）は、容器部１０の底部の近傍に位置している。例えば、図３に示すように、ランプ４１の先端と給水栓部２０（孔部１２）とは略同じ高さに位置する。これにより、容器部１０に貯められた水に、直接、かつ、略均等に紫外線を照射することができる。
【００４９】
なお、ランプ４１は、紫外線だけでなく、弱い青色光も発する。当該青色光は、窓部８０を介して外部に出射される。これにより、給水器１のユーザは、窓部８０を見ることで、紫外線が照射されているか否かを判断することができる。なお、紫外線を放射するＬＥＤからの光も青く見える。
【００５０】
保護部材４２は、ランプ４１の破損を防止するためのカバーである。保護部材４２は、例えば、蓋部３０を机又は床などに置いた場合に、ランプ４１が机又は床に直接接触するのを抑制する。
【００５１】
保護部材４２は、ランプ４１を囲むように設けられている。具体的には、保護部材４２は、立体格子形状を有し、当該立体格子の内部にランプ４１が配置されている。保護部材４２は、例えば、ステンレスなどの金属材料から形成される。
【００５２】
また、保護部材４２は、金属板３３に設けられた取付座３３ｂに着脱可能に取り付けられている。例えば、保護部材４２の４本の足は、４つの取付座３３ｂに抜き差し可能になっている。このように、保護部材４２は、ユーザにより着脱可能であり、例えば、ランプ４１の交換時に一時的に金属板３３から取り外すことができる。
【００５３】
ランプ４１及び保護部材４２は、容器部１０に水が貯められた場合に、貯められた水に浸かる。例えば、規定の水量（例えば８Ｌ）の水が貯められた場合に、ランプ４１は、少なくとも半分以上が浸水する。このため、ランプ４１及び保護部材４２は、防水性を有することが好ましい。
【００５４】
なお、紫外線光源部４０が紫外線を照射する際には、給水器１は、通常、机又は床などの上に設置されて固定されている。したがって、容器部１０に貯められた水は、動水（流水）ではなく、静水である。紫外線光源部４０は、静水に紫外線を照射するので、短期間で充分に殺菌することができる。
【００５５】
次に、改良した保護部材４２を有する紫外線光源部４０の変形例について説明する。図５Ｂは、実施の形態１に係る紫外線光源部の変形例を含む蓋部の概観斜視図である。図５Ｂは、図５Ａと比べて保護部材４２の構成が異なっている。以下異なる点を中心に説明する。図５Ｂの保護部材４２は、第１部材４２ａ、第２部材４２ｂ、第３部材４２ｃから構成される。
【００５６】
第１部材４２ａは、蓋部３０の取付座３３ｂに取り付けられ、ランプ４１のうちの蓋部側の部分を囲む部材である。
【００５７】
第２部材４２ｂは、結合部材４２ｊによって第１部材４２ａに取り付けられ、ランプ４１のうちの蓋部３０と反対側の先端部の一部を囲む可動部材である。
【００５８】
第３部材４２ｃは、結合部材４２ｊによって第１部材４２ａに取り付けられ、ランプ４１のうちの蓋部３０と反対側の先端部の他の一部を囲む可動部材である。
【００５９】
第２部材４２ｂおよび第３部材４２ｃは、第１部材４２ａに取り付けられた状態で、互いに着脱可能である。つまり、第２部材４２ｂの先端のラッチ４２ｂ１は第３部材４２ｃをラッチ可能であり、第３部材４２ｃの先端のラッチ４２ｃ１は第２部材４２ｂをラッチ可能である。
【００６０】
図５Ｂでは、ラッチ４２ｂ１およびラッチ４２ｃ１が第３部材４２ｃおよび第２部材４２ｂをラッチしている状態を図示している。これに対して、図５Ｃは、ラッチ４２ｂ１およびラッチ４２ｃ１が第３部材４２ｃおよび第２部材４２ｂをラッチしていない状態を図示している。ラッチ４２ｂ１およびラッチ４２ｃ１が第３部材４２ｃおよび第２部材４２ｂをラッチしていないとき、ランプ４１のうちの蓋部３０と反対側のランプ先端部分が露出する。これにより、ランプ４１の交換を容易にしている。
【００６１】
［開閉センサ部］
開閉センサ部５０は、開口部１１が蓋部３０によって塞がれているか否かを検知する。つまり、開閉センサ部５０は、蓋部３０が閉じられた状態であるか、開けられた状態であるかを検知する。
【００６２】
開閉センサ部５０は、図４及び図５Ａに示すように、蓋側センサ５１と、容器側センサ５２とを備える。蓋側センサ５１は、例えば、蓋部３０に内蔵されている。容器側センサ５２は、例えば、容器部１０に内蔵されている。
【００６３】
本実施の形態では、蓋側センサ５１と容器側センサ５２とは、蓋部３０が閉じられた場合に近接するように設けられている。例えば、蓋側センサ５１と容器側センサ５２とは、蓋部３０が閉じられた場合に、上面視において重複する。
【００６４】
開閉センサ部５０は、例えば、磁気センサである。蓋側センサ５１は、例えば、リードスイッチを有し、駆動回路部６０に電気的に接続されている。容器側センサ５２は、例えば、永久磁石などの磁石である。蓋部３０が閉じられた場合に、蓋側センサ５１のリードスイッチが導通し、電流が流れる。蓋側センサ５１は、当該電流を検知信号として駆動回路部６０に出力する。
【００６５】
なお、開閉センサ部５０の構成は、一例であって、これに限らない。例えば、蓋側センサ５１は、コイルを有し、容器側センサ５２に近接したときに流れる電流を検知信号として駆動回路部６０に出力してもよい。
【００６６】
［駆動回路部］
駆動回路部６０は、紫外線光源部４０の点灯及び消灯を制御する。具体的には、駆動回路部６０は、紫外線光源部４０を点灯するタイミング及び消灯するタイミングを制御する。なお、駆動回路部６０は、紫外線光源部４０が放射する紫外線の強度、又は、紫外線を照射する期間を変更する制御を行ってもよい。
【００６７】
本実施の形態では、駆動回路部６０は、紫外線光源部４０の点灯が可能な点灯可能モードと、紫外線光源部４０の点灯が禁止されている点灯禁止モードとを実行する。点灯可能モードでは、表示パネル９０の電源スイッチ９１が押されたときに、駆動回路部６０は、紫外線光源部４０の点灯を行う。点灯禁止モードでは、電源スイッチ９１が押されたとしても、駆動回路部６０は、紫外線光源部４０の点灯を行わない。駆動回路部６０は、点灯可能モードと点灯禁止モードとを、開閉センサ部５０による検知結果に基づいて切り替える。
【００６８】
具体的には、駆動回路部６０は、開口部１１が塞がれていることを開閉センサ部５０によって検知されない場合に、紫外線光源部４０の点灯を禁止する。つまり、駆動回路部６０は、蓋部３０が開けられた状態では、点灯禁止モードを実行する。具体的には、紫外線光源部４０への電力の供給を禁止する。また、駆動回路部６０は、蓋部３０が閉じられた状態でのみ、点灯可能モードを実行する。具体的には、駆動回路部６０は、紫外線光源部４０への電力の供給を行うことができる。また、紫外線光源部４０の点灯中に、蓋部３０が開けられた場合、駆動回路部６０は、紫外線光源部４０を消灯し、点灯禁止モードに移行する。
【００６９】
本実施の形態では、例えば、駆動回路部６０は、点灯可能モードで電源スイッチ９１が押されたとき、予め設定された期間（以下、「設定時間」と記載する）、紫外線光源部４０のランプ４１を点灯させる。設定時間は、例えば、３分間であるが、これに限定されない。
【００７０】
また、駆動回路部６０は、インジケータ７０の動作を制御する表示制御回路も含んでいる。表示制御回路は、給水器１の状態に応じて、インジケータ７０の点灯表示を制御する。表示制御回路は、例えば、ランプ４１の使用回数（点灯回数）をカウントし、カウントした使用回数を記憶するカウンタ回路を有する。また、例えば、表示制御回路は、外部電源と給水器１とがプラグを介して接続されたときに、外部から駆動回路部６０に供給される電力が所定の範囲内にあるか否かを判定する。具体的には、表示制御回路は、供給される電力がＵＶランプ４１の点灯に使用可能な範囲内にあるか否かを判定する。
【００７１】
図６〜図８はそれぞれ、本実施の形態に係る駆動回路部６０の概観斜視図、側面図及び正面図である。駆動回路部６０は、図７に示すように、基板６１と、１以上の回路部品６２とを備える。なお、図３、図６及び図８などには、１以上の回路部品６２を示していない。
【００７２】
基板６１は、図３に示すように、蓋部３０の内部に配置されている。基板６１は、一方の面（半田面）に銅箔などの金属配線がパターニングされたプリント基板（ＰＣＢ基板）である。基板６１にパターニングされた金属配線によって、１以上の回路部品６２が電気的に接続されている。金属配線は、リード線などのケーブルによって紫外線光源部４０のランプ４１に電気的に接続されている。
【００７３】
図６及び図８に示すように、基板６１は、メイン実装部６１ａと、サブ実装部６１ｂとを有する。メイン実装部６１ａは、上側の２つの角が略円弧になる略長方形状の平面視形状を有する平板部である。メイン実装部６１ａには、紫外線光源部４０を点灯させるためのマイコン、インバータなどの主たる回路部品６２が実装されている。１以上の回路部品６２には、マイコン（マイクロコントローラ又はマイクロコンピュータ）、インバータ、抵抗素子、キャパシタ、インダクタ、整流素子などが含まれる。
【００７４】
サブ実装部６１ｂは、メイン実装部６１ａの上側端面から上方に突出するように設けられた略矩形の平板部である。サブ実装部６１ｂは、２つの凹部によって分けられたスイッチ実装部６１ｃ、第１ＬＥＤ実装部６１ｄ及び第２ＬＥＤ実装部６１ｅを有する。本実施の形態では、スイッチ実装部６１ｃは、第１ＬＥＤ実装部６１ｄと第２ＬＥＤ実装部６１ｅとの間に設けられている。
【００７５】
スイッチ実装部６１ｃは、スイッチ素子６３が実装される部分である。スイッチ素子６３は、回路部品６２の１つであり、紫外線光源部４０の点灯を開始させるための押下操作型のスイッチ素子である。スイッチ素子６３は、図７に示すように、本体６３ａと、被押下部６３ｂとを有する。被押下部６３ｂが本体６３ａに向かって下方に押し下げられたときに、スイッチ素子６３は、ランプ４１の点灯開始のための制御信号を出力する。具体的には、被押下部６３ｂは、表示パネル９０の電源スイッチ９１が押されたときに連動して下方に押し下げられる。
【００７６】
本実施の形態では、図７に示すように、スイッチ素子６３は、被押下部６３ｂが基板６１の上端より上方に突出するように配置されている。これにより、上方から力を加えて被押下部６３ｂを容易に下方に押し下げることができる。
【００７７】
第１ＬＥＤ実装部６１ｄは、２つの発光素子７１及び７２が実装される部分である。２つの発光素子７１及び７２は、インジケータ７０の一部である。２つの発光素子７１及び７２は、基板６１の上端に沿って配置され、上方に向けて光を発する固体発光素子の一例である。
【００７８】
第２ＬＥＤ実装部６１ｅは、２つの発光素子７３及び７４が実装される部分である。２つの発光素子７３及び７４は、インジケータ７０の一部である。２つの発光素子７３及び７４は、基板６１の上端に沿って配置され、上方に向けて光を発する固体発光素子の一例である。
【００７９】
本実施の形態では、図７に示すように、４つの発光素子７１〜７４が実装された面は、スイッチ素子６３が実装された面の反対側の面である。４つの発光素子７１〜７４は、図２に示すように、上面視において直線上に配置されている。
【００８０】
本実施の形態では、基板６１は、蓋部３０が容器部１０に取り付けられた場合に、容器部１０の底面に対して傾斜している。具体的には、基板６１は、蓋部３０が容器部１０に取り付けられた場合に、容器部１０の底面に直交する方向に沿って配置されている。
【００８１】
例えば、給水器１が水平面に容器部１０の底面を載置した場合、基板６１は、水平面に対して傾斜している。例えば、基板６１は、水平面に対して４５°以上の傾斜角で傾斜している。これにより、水などの液体が基板６１に付着した場合でも、傾斜に沿って液体が流れるので、液体による回路のショート（短絡）を抑えることができる。
【００８２】
本実施の形態では、基板６１は、水平面に対して略直角に（すなわち、鉛直方向に沿って）配置されている（縦置き）。これにより、蓋部３０の上面から液体が蓋部３０の内部に浸入した場合であっても、基板６１が縦置きに配置されているので、液体が落下する際に基板６１に当たりにくい。したがって、液体による回路のショートを抑えることができる。
【００８３】
なお、駆動回路部６０と給水器１の内部回路（つまり、紫外線光源部４０および開閉センサ部５０等）の接続は、コネクタを介してもよい。さらに、蓋部３０の上面における表示パネル９０を含む部分とを、蓋部３０の上面から着脱可能な小蓋にしてもよい。こうすれば、ユーザは、小蓋を開けて、駆動回路部６０のコネクタを取り外すことにより、駆動回路部６０を交換することができる。また、小蓋と駆動回路部６０は一体に構成されていてもよい。これにより、一体に構成された小蓋および駆動回路部６０をモジュールとして交換可能になり、交換作業を容易にすることができる。
【００８４】
［インジケータ］
インジケータ７０は、給水器１の状態に関する情報を表示する。インジケータ７０は、複数の発光素子を含んでいる。複数の発光素子は、発光波長が互いに異なる第１発光素子及び第２発光素子を含んでいる。本実施の形態では、図２に示すように、インジケータ７０は、４つの発光素子７１〜７４を含んでいる。
【００８５】
４つの発光素子７１〜７４は、可視光を発するＬＥＤなどの固体発光素子である。本実施の形態では、発光素子７１及び発光素子７３は、第１発光素子の一例であり、赤色光を発する。発光素子７２及び発光素子７４は、第２発光素子の一例であり、緑色光を発する。
【００８６】
本実施の形態では、図６に示すように、４つの発光素子７１〜７４は、中央にスイッチ素子６３を挟んで、直線上に並んで配置されている。２つの発光素子７１及び７２は、主に電源に関する情報を示し、２つの発光素子７３及び７４は、主にランプ４１に関する情報を示す。
【００８７】
なお、インジケータ７０が含む発光素子の数、配置、各々の発光波長（発光色）は、これらに限定されない。例えば、インジケータ７０は、２個のみの発光素子を含んでいてもよく、５個以上の発光素子を含んでもよい。また、４つの発光素子７１〜７４は、直線上ではなく、２行２列のマトリクス状に配置されていてもよい。４つの発光素子７１〜７４は、全ての発光波長が同じでもよく、あるいは、全ての発光波長が異なっていてもよい。
【００８８】
４つの発光素子７１〜７４は、各々の点消灯の態様の組み合わせによって複数の情報を表示する。点消灯の態様には、連続点灯、点滅点灯、及び、消灯が含まれる。連続点灯は、所定の輝度での点灯が連続（継続）している状態である。点滅点灯は、高輝度と低輝度（又は消灯）とを周期的に繰り返している状態である。消灯は、点灯していない（輝度が０）状態である。
【００８９】
４つの発光素子７１〜７４は、駆動回路部６０に設けられた表示制御回路によって制御される。４つの発光素子７１〜７４は、表示制御回路によって、各々の点消灯の態様を個別に制御される。
【００９０】
４つの発光素子７１〜７４によって表示される複数の情報は、紫外線光源部４０による液体の殺菌状態に関する殺菌情報と、紫外線光源部４０の寿命に関する寿命情報とを含んでいる。本実施の形態では、複数の情報は、さらに、外部から駆動回路部６０に供給される電力に関する電力情報、蓋部３０による開口部１１の開閉状態に関する開閉情報、及び、紫外線光源部４０の動作状態に関する動作情報を含んでいる。
【００９１】
［表示パネル］
表示パネル９０は、蓋部３０の上面に設けられたパネル（化粧板）である。表示パネル９０は、平面視において、駆動回路部６０のスイッチ素子６３、インジケータ７０及び窓部８０を含む領域を覆うように設けられている。具体的には、表示パネル９０は、発光素子７１〜７４及び窓部８０の各々に対応する開口を有し、発光素子７１〜７４及び窓部８０からの光を通過させる。
【００９２】
表示パネル９０は、スイッチ素子６３に対応する位置に電源スイッチ９１を有する。電源スイッチ９１は、押下式のボタンスイッチである。電源スイッチ９１が押されたときに、スイッチ素子６３の被押下部６３ｂが押し下げられる。これにより、駆動回路部６０が点灯可能モードである場合は、電源スイッチ９１が押されたときに、紫外線光源部４０が紫外線の照射を開始し、液体の殺菌が行われる。
【００９３】
［効果など］
以上のように、本実施の形態に係る給水器１は、殺菌容器であって、内部に注液するための開口部１１を有し、かつ、液体が貯められる容器部１０と、開口部１１を塞ぐための、容器部１０に着脱可能な蓋部３０と、容器部１０の内部に配置され、容器部１０に貯められる液体に紫外線を照射することで、液体を殺菌する紫外線光源部４０と、紫外線光源部４０から紫外線が照射され得る樹脂部材であってユーザによる交換が可能な樹脂部材とを備える。
【００９４】
この構成によれば、樹脂部材にＵＶ劣化が生じても、樹脂部材の交換により殺菌容器の寿命を長くすることができる。
【００９５】
ここで、殺菌容器は、容器部１０から外部に液体を給水するための給水栓部２０を備え、前記樹脂部材は、容器部１０の内側の給水栓部２０をカバーし、紫外線光源部４０から給水栓部２０へ向かう紫外線を遮光するカバー部材２２を含んでもよい。
【００９６】
この構成によれば、給水栓部２０が樹脂製であっても、カバー部材２２によって給水栓部２０のＵＶ劣化を抑制することができ、給水栓部２０の寿命を長くすることができる。また、カバー部材２２がＵＶ劣化しても、カバー部材２２は交換可能なので、殺菌容器の寿命をより長くすることができる。
【００９７】
ここで、カバー部材２２は筒状であってもよい。
【００９８】
この構成によれば、給水栓部２０に対してカバー部材２２を容易に着脱することができる。
【００９９】
ここで、カバー部材２２の底部は、紫外線を遮光しかつ液体を流通させるメッシュ状またはスリット状であってもよい。
【０１００】
この構成によれば、カバー部材を通過しようとする紫外線を遮光するので、給水栓部の内面におけるＵＶ劣化を抑制することができる。
【０１０１】
ここで、前記樹脂部材は、容器部１０の液体を外部に給水するための給水栓部２０を含んでいてもよい。
【０１０２】
この構成によれば、給水栓部２０がＵＶ劣化しても、給水栓部２０は交換可能なので殺菌容器の寿命を長くすることができる。
【０１０３】
ここで、紫外線光源部４０は、蓋部３０に取り付けられ、ユーザが交換可能であってもよい。
【０１０４】
この構成によれば、殺菌容器の転倒や落下によって紫外線光源部４０が破損または故障した場合でも、紫外線光源部４０は交換可能なので殺菌容器の寿命を長くすることができる。
【０１０５】
ここで、紫外線光源部４０は、紫外線を照射するランプ４１と、ランプ４１を囲む保護部材４２とを有し、ランプ４１は、蓋部３０に取り付けられ、ユーザが交換可能であってもよい。
【０１０６】
この構成によれば、殺菌容器の転倒や落下によってランプ４１が破損または故障した場合でも、ランプ４１は交換可能なので殺菌容器の寿命を長くすることができる。
【０１０７】
ここで、保護部材４２は、蓋部３０に着脱可能に取り付けられてもよい。
【０１０８】
この構成によれば、保護部材４２が蓋部３０に着脱可能なので、ランプ４１の交換を容易にすることができる。
【０１０９】
ここで、ランプ４１は、長尺状であり、保護部材４２は、ランプ４１のうちの蓋部３０と反対側の先端部を囲む可動部材を有し、可動部材は、ランプ４１の先端部を囲む位置と露出させる位置とに可動であってもよい。
【０１１０】
この構成によれば、保護部材４２からランプ４１の先端部が露出可能なので、ランプ４１の交換を容易にする。
【０１１１】
ここで、保護部材４２は、蓋部３０に取り付けられ、ランプ４１のうちの蓋部３０側の部分を囲む第１部材４２ａと、第１部材４２ａに取り付けられ、ランプ４１のうちの蓋部３０と反対側の先端部の一部を囲む第２部材４２ｂと、第１部材４２ａに取り付けられ、ランプ４１のうちの蓋部３０と反対側の先端部の他の一部を囲む第３部材４２ｃとを備え、第２部材４２ｂおよび第３部材４２ｃは、可動部材であって、第１部材４２ａに取り付けられた状態で互いに着脱可能であることにより、ランプ４１のうちの蓋部３０と反対側の先端部を囲む位置と露出させる位置とに可動であってもよい。
【０１１２】
この構成によれば、保護部材４２からランプ４１が露出可能なので、ランプ４１の交換を容易にする。
【０１１３】
なお、カバー部材２２は、筒状でなくてもよく、給水管２１の端部を覆って、紫外線光源部４０から給水管２１の端部へ向かう紫外線を遮光する板状であってもよい。
【０１１４】
（実施の形態２）
上記の実施の形態１及び変形例では、据え置きタイプのいわゆるウォータージャグを例に説明したが、これに限らない。例えば、本発明に係る殺菌容器は、携帯可能なマグとして実現することもできる。
【０１１５】
図９は、本実施の形態に係る蓋付きマグ２０１の概観斜視図である。図１０は、本実施の形態に係る蓋付きマグ２０１の蓋部２３０を取り外した状態を示す概観斜視図である。
【０１１６】
マグ２０１は、殺菌容器であって、液体を貯めるための携帯可能な容器（いわゆる水筒）である。蓋付きマグ２０１は、実施の形態１に係る給水器１と同様に、液体に紫外線（ＵＶ光）を照射することで当該液体を殺菌する。図９に示すように、蓋付きマグ２０１は、容器部２１０と、蓋部２３０と、紫外線光源部２４０と、窓部２８０と、表示パネル２９０とを備える。
【０１１７】
容器部２１０は、液体を貯めるための有底筒状の容器である。容器部２１０は、内部空間に液体を注入するための開口部２１１を有する。容器部２１０には、開口部２１１を介して、水道水などの未殺菌液が注入され、注入された未殺菌液が貯められる。貯められた未殺菌液には、紫外線光源部２４０によって紫外線が照射された後、開口部２１１を介して外部に供給（排出）される。つまり、本実施の形態では、開口部２１１は、注液口と供給口とを兼ねる。具体的には、開口部２１１は、飲用口を兼ねる。
【０１１８】
容器部２１０の内部空間の容量は、例えば５００ｍＬであるが、これに限定されない。容器部２１０は、例えば、人間が片手又は両手で持てる程度の大きさである。
【０１１９】
容器部２１０の内面は、例えばアルミニウムなどの金属製でもよいが、樹脂製であってもよい。容器部２１０の内面が樹脂部材でできている場合は、殺菌時には容器部２１０の内面に紫外線光源部２４０から紫外線が照射される。この場合、容器部２１０の内面を含む内側の部分をユーザによる交換可能にしてもよいし、容器部２１０全体を交換してもよい。
【０１２０】
蓋部２３０は、開口部２１１を塞ぐための、容器部２１０の着脱可能な蓋である。蓋部２３０は、開口部２１１を塞ぐことで、容器部２１０の内部空間を密閉する。蓋部２３０の裏面には、図９に示すように、紫外線光源部２４０が取り付けられている。蓋部２３０の内部には、図１０に示すように、駆動回路部２６０が配置されている。
【０１２１】
本実施の形態に係る蓋付きマグ２０１は、ユーザに携帯されて、外部からの電力供給を得ることができない屋外などで使用される。このため、蓋部２３０の内部には、バッテリー（図示せず）が設けられている。バッテリーは、例えば、一次電池又は二次電池などである。
【０１２２】
紫外線光源部２４０は、実施の形態１に係る紫外線光源部４０と構成及び機能は同じである。紫外線光源部２４０は、容器部２１０の内部に収まるように、かつ、蓋部２３０の裏面に取り付けられるように、小型化されている。
【０１２３】
紫外線光源部２４０は、容器部２１０の内部に配置され、容器部２１０に貯められる液体に紫外線を照射することで、当該液体を殺菌する。照射する紫外線は、例えば、２００ｎｍ〜４００ｎｍの範囲にピーク波長を有する紫外線である。
【０１２４】
駆動回路部２６０は、実施の形態１に係る駆動回路部６０と構成及び機能は同じである。駆動回路部２６０は、蓋部２３０の内部に収納されるように、駆動回路部６０より大きさが縮小されている。駆動回路部２６０は、外部から供給される電力ではなく、蓋部２３０の内部に配置されたバッテリーからの電力を紫外線光源部２４０に供給する。
【０１２５】
駆動回路部２６０の基板２６１は、実施の形態１と同様に、蓋部２３０が容器部２１０に取り付けられた場合に容器部２１０の底面に傾斜に対して傾斜している。具体的には、基板２６１は、容器部２１０の底面（例えば、水平面）に直交する方向に沿って（いわゆる縦置き）配置されている。
【０１２６】
なお、図１０に示すように、蓋部２３０の上面が平面であるので、蓋部２３０が逆さまにして水平面に置かれた場合でも、基板２６１は、水平面に対して直交している。このため、蓋部２３０が逆さまに置かれた場合でも、蓋部２３０内に浸入した液体は、基板２６１に当たりにくい。これにより、回路のショートを抑えることができる。
【０１２７】
インジケータ２７０は、実施の形態１に係るインジケータ７０と構成及び機能は同じである。なお、蓋付きマグ２０１の蓋部２３０にはバッテリーが内蔵されているので、バッテリーの残量情報を表示してもよい。残量情報は、例えば、充分に充電されている（すなわち、紫外線の照射ができる）ことを示す情報、及び、残量が実質的にゼロである（すなわち、紫外線の照射ができない）ことを示す情報などを含んでいる。
【０１２８】
また、本実施の形態では、インジケータ２７０は、電源スイッチ２９１が押されたときに、寿命情報を表示する。具体的には、インジケータ２７０は、電源スイッチ２９１が押されたとき、寿命情報を表示した後、実施の形態１と同様に動作情報を表示し、その後、殺菌情報を表示する。なお、寿命情報を表示するタイミングは、これに限らず、例えば、蓋部２３０を閉じたときでもよい。
【０１２９】
窓部２８０は、実施の形態１に係る窓部８０と構成及び機能は同じである。窓部２８０は、紫外線を可視光に変換する波長変換材を含んでいる。これにより、容器部２１０の内部で紫外線が点灯している場合、紫外線が波長変換材に照射されて、窓部２８０から可視光（例えば、緑色光）が出射される。つまり、窓部２８０が緑色に光って見えるので、ユーザは、窓部２８０の発光を確認することで、紫外線が液体に照射されていることを確認することができる。
【０１３０】
表示パネル２９０は、実施の形態１に係る表示パネル９０と構成及び機能は同じである。表示パネル２９０は、蓋部２３０の大きさに合わせて、表示パネル９０より縮小されている。
【０１３１】
以上のように、本実施の形態に係る蓋付きマグ２０１は、内部に注液するための開口部２１１を有し、かつ、液体が貯められる容器部２１０と、開口部２１１を塞ぐための、容器部２１０に着脱可能な蓋部２３０と、容器部２１０の内部に配置され、容器部２１０に貯められる液体に紫外線を照射することで、液体を殺菌する紫外線光源部２４０と、紫外線光源部２４０から紫外線が照射され得る樹脂部材であって、ユーザによる交換が可能な樹脂部材とを備える。
【０１３２】
ここで、開口部２１１は、飲用口を兼ねえもよい。
【０１３３】
ここで、樹脂部材は、容器部２１０の内面を含む内側部分でもよいし、容器部２１０そのものでもよい。
【０１３４】
これにより、実施の形態１と同様に、実施の形態１に係る給水器１と同様の効果を奏することができ、すなわち、樹脂部材にＵＶ劣化が生じても、樹脂部材の交換により殺菌容器の寿命を長くすることができる、
（その他）
以上、本発明に係る殺菌容器について、上記実施の形態及びその変形例に基づいて説明したが、本発明は、上記の実施の形態に限定されるものではない。
【０１３５】
例えば、上記の実施の形態では、カバー部材８２が透過部８２ｂと波長変換部８２ａとを有する例について説明したが、これに限らない。例えば、カバー部材８２の全体に波長変換材が分散されていてもよい。すなわち、カバー部材８２の全体が波長変換部８２ａでもよい。
【０１３６】
この場合、内部からの青色光がカバー部材８２を透過しないので、直接、内部の様子を確認することは難しい。しかしながら、紫外線光源部４０が点灯している期間ではカバー部材８２の全体が発光するので、より明るい発光を得ることができ、紫外線の照射状態をより容易に確認することができる。
【０１３７】
また、例えば、上記の実施の形態に係る給水器１は、スピーカを備えてもよい。蓋部３０の開閉、電源スイッチの押下、紫外線の照射の開始及び終了などを、スピーカからの発信音によってユーザに知らせてもよい。
【０１３８】
また、例えば、上記の実施の形態に係る給水器１は、容器部１０又は蓋部３０に固定された取手部が設けられていてもよい。これにより、給水器１を容易に持ち運ぶことができる。
【０１３９】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１４０】
１  給水器（殺菌容器）
１０、２１０  容器部
１１、２１１  開口部
３０、２３０  蓋部
４０、２４０  紫外線光源部
２０  給水栓部
２２  カバー部材
４１  ランプ
４２  保護部材
４２ａ  第１部材
４２ｂ  第２部材
４２ｃ  第３部材
２０１  マグ（殺菌容器）
【図１】
2017169810.tif 000003
【図２】
2017169810.tif 000004
【図３】
2017169810.tif 000005
【図４】
2017169810.tif 000006
【図５Ａ】
2017169810.tif 000007
【図５Ｂ】
2017169810.tif 000008
【図５Ｃ】
2017169810.tif 000009
【図６】
2017169810.tif 000010
【図７】
2017169810.tif 000011
【図８】
2017169810.tif 000012
【図９】
2017169810.tif 000013
【図１０】
2017169810.tif 000014